(57)【要約】      （修正有）【課題】異なる量の米を容易に計量できる計量カップを提供する。【解決手段】計量カップ１００は、筒体１１の一方の端部を塞ぐ底部を有し、他方の端部が開放され開口部１５とした計量部１０を備え、筒体１１は、筒体１１の側面に設けられた、計量部１０の内部に収容した炊飯原料を排出する側面穴１６を備える。【選択図】図１
2017187307.tif 000002
【特許請求の範囲】
【請求項１】
筒体の一方の端部を塞ぐ底部を有し、他方の端部が開放され開口部とした計量部を備え、
前記筒体は、
当該筒体の側面に設けられ、前記計量部の内部に収容した炊飯原料を排出する側面穴を備える、計量カップ。
【請求項２】
前記筒体は、
前記側面穴を２箇所備える、請求項１に記載の計量カップ。
【請求項３】
前記計量部は、
前記側面穴の下端部から前記底部までの容積が、前記底部から前記開口部までの容積の半分である、請求項１又は２に記載の計量カップ。
【請求項４】
前記側面穴は、
長穴形状であり、長手方向を前記底部に平行に配置されている、請求項１〜３の何れか１項に記載の計量カップ。
【請求項５】
前記側面穴に着脱自在な蓋を備える、請求項１〜４の何れか１項に記載の計量カップ。
【請求項６】
前記蓋は、
前記計量部と一体に形成されている、請求項５に記載の計量カップ。
【請求項７】
前記蓋は、
前記側面穴の開口部分の形状に対し突出したつば部を備える、請求項５又は６に記載の計量カップ。
【発明の詳細な説明】
【技術分野】
【０００１】
本発明は、炊飯器で炊飯する米等の炊飯原料の量を計量する計量カップの構造に関するものである。
【背景技術】
【０００２】
従来より、炊飯器で炊飯する米を計量する計量カップがある。この計量カップは、計量カップを米びつの中に入れて米を掬い上げ、計量カップの上端部から突出した分の米を、計量カップをゆすることなく、上端部に合せてほぼ平ら（水平）に均すように摺り切ると１合（１８０ｍｌ）となり、炊飯したい米の量を計量するために使用されている。炊飯時において、米の量と水の量との比率が変わると、炊きあがり時の米のできばえが大きく変わってくる。よって、炊飯時の米の量は正確に計量する必要がある。特許文献１においては、計量カップの上端部で米を摺り切ることで１合の米を計量する。
【０００３】
最近では、０．５合単位（例えば、０．５合、１．５合、２．５合・・・）で米の量を調整して炊飯するユーザーが増えてきている。前述の計量カップを用いて、米の量を０．５合単位で調節したい場合には、目分量で米の量を計ったり、また、０．５合の目盛りが印刷あるいは刻印された計量カップを用いて米の量を計っている。
【先行技術文献】
【特許文献】
【０００４】
【特許文献１】特開２０１１−１０６８６５号公報
【発明の概要】
【発明が解決しようとする課題】
【０００５】
前記のような計量カップでは、例えば０．５合の米等の炊飯原料を計量する場合、計量カップの上端部に合わせて摺り切ることができないため、目分量で、あるいは計量カップに設けられた目盛りに合わせるしかなかった。そのため、目盛り線と米等の炊飯原料とを正確に合わせるために、計量カップの横方向から視認する必要がある。または、計量カップを上から見る場合は、ユーザーは計量カップを回すなどして、目盛り線と米等の炊飯原料とがカップの全周にわたって合っているか、確認する必要があった。また、計量カップ内の炊飯原料の量を調整して目盛り線に合わせるために計量カップから炊飯原料をこぼすが、その際に計量カップから炊飯原料をこぼし過ぎると再度炊飯原料を掬い上げる必要があった。
【０００６】
本発明は、前述のような課題を解決するためになされたもので、計量カップの摺り切りでない計量をする場合であっても、計量カップ内の炊飯原料の量を調整し易くし、炊飯原料を容易に計量できる計量カップを提供することを目的とする。
【課題を解決するための手段】
【０００７】
本発明に係る炊飯器の計量カップは、筒体の一方の端部を塞ぐ底部を有し、他方の端部が開放され開口部とした計量部を備え、前記筒体は、当該筒体の側面に設けられ、前記計量部の内部に収容した炊飯原料を排出する側面穴を備える。
【発明の効果】
【０００８】
本発明によれば、米等の炊飯原料の計量をする際に計量部の筒部に側面穴を有することにより、所定の量の炊飯原料を計量する際に余剰分を側面穴から排出することができるため、底部から側面穴の下端までの計量部の容積による計量が容易にできる。また、側面穴をユーザーの指等で塞いで炊飯原料を掬うことにより、計量部の摺り切りによる計量もできる。以上のように、１つの計量部で２種類の異なる量の米等の炊飯原料を容易に計量することができる。
【図面の簡単な説明】
【０００９】
【図１】本発明の実施の形態１に係る計量カップを示す斜視図である。
【図２】図１の計量カップの正面図である。
【図３】図１の計量カップの側面図である。
【図４】図１の計量カップの底面図である。
【図５】図２の計量カップのＡ−Ａ断面図である。
【図６】図２の計量カップのＢ−Ｂ断面図である。
【図７】図３の計量カップのＣ−Ｃ断面図である。
【図８】本発明の実施の形態２に係る計量カップの斜視図である。
【図９】図８の計量カップの蓋を筒体に一体に設けた計量カップの斜視図である。
【発明を実施するための形態】
【００１０】
以下、図面に基づいて本発明の実施の形態について説明する。各図において、同一の符号を付した部位等については、同一の又はこれに相当する部位を表すものであって、これは明細書の全文において共通している。また、明細書全文に表れている構成要素の形態は、あくまで例示であって、本発明は明細書内の記載のみに限定されるものではない。特に構成要素の組み合わせは、各実施の形態における組み合わせのみに限定するものではなく、他の実施の形態に記載した構成要素を別の実施の形態に適用することができる。さらに、添字で区別等している複数の部位等について、特に区別したり、特定したりする必要がない場合には、添字を省略して記載する場合がある。また、図面では各構成部材の大きさの関係が実際のものとは異なる場合がある。
【００１１】
実施の形態１．
図１は、本発明の実施の形態１に係る計量カップ１００を示す斜視図である。図２は、図１の計量カップ１００の正面図である。図３は、図１の計量カップ１００の側面図である。図４は、図１の計量カップ１００の底面図である。図５は、図２の計量カップ１００のＡ−Ａ断面図である。図６は、図２の計量カップ１００のＢ−Ｂ断面図である。図７は、図３の計量カップ１００のＣ−Ｃ断面図である。
実施の形態１における計量カップ１００は、計量部１０を備える。計量部１０は、筒体１１と筒体１１の一端を塞ぐ底部１４とを備える。筒体１１の開放されている側の端部は計量部１０の開口部１５となっている。実施の形態１において、筒体１１は、底部１４から開口部１５に向かって径が大きくなる略円筒形状になっている。ただし、筒体１１は、円筒形状に限られず、例えば断面が矩形の筒形状であっても良い。底部１４の計量部１０の外側の面は、底面１７である。底面１７は、上側に突出した曲面になっている。また、底部１４の中央には計量カップ１００の成形の際に樹脂材料の注入口と突起１９を有する。突起１９は、計量カップ１００の製造方法により適宜設置されるものである。
【００１２】
筒体１１の側面には側面穴１６が設けられている。側面穴１６は、計量部１０の底部１４から開口部１５までの間のほぼ中央に配置されている。実施の形態１においては、計量部１０の底部１４から開口部１５までの容積は１合に設定されており、底部１４から側面穴１６の下端部までの容積は０．５合に設定されている。なお、側面穴１６の位置及び計量部の容積は、上記に限定されず、適宜設定できる。
【００１３】
図３〜図７に示されているように、側面穴１６は、筒体１１の中心軸について対称な位置に２箇所設けられている。２箇所の側面穴１６は、同じ形状であり、底部１４からの高さも同じ位置に設けられている。側面穴１６は、平面に投影した形状が長方形の長手方向の両端を丸めた長穴形状である。側面穴１６は、長手方向を底部１４に平行な方向を向けて配置されている。側面穴１６の上下方向の幅は、ユーザーの指１本分の幅よりも小さくなっている。また、側面穴１６の長手方向の幅は、ユーザーの指の長さよりも短く構成されている。なお、側面穴１６の形状及び寸法については、ユーザーが計量カップ１００を掴んだ時に、２箇所の側面穴１６を同時に塞げるようになっていれば、上記に説明した形状に限られない。また、側面穴１６を設ける位置及び数も、同様にユーザーが計量カップ１００を掴んだ時に側面穴１６を同時に塞げるのであれば、上記に説明した位置及び数に限られない。
【００１４】
＜計量カップ１００における計量＞
上記のように構成された計量カップ１００で、米を計量する場合、底部１４から計量部１０の開口部１５までの間に米を満たし、開口部１５で米を摺り切ると、例えば１合の米を計量できる。このとき、筒体１１に側面穴１６が設けられているため、そこから米がこぼれ落ちてしまう。そのため、計量カップ１００において開口部１５まで米を満たす場合は、ユーザーは計量カップ１００を掴むのと同時に指で側面穴１６を塞ぐ必要がある。側面穴１６は、計量カップ１００の高さ方向のほぼ中央に位置しているため、ユーザーが筒体１１の外周を掴むのと同時に塞ぎやすくなっている。また、側面穴１６は、長手方向を底部１４と平行に向けた長穴形状であり、人の指で塞ぐのに都合の良い形状になっている。
【００１５】
また、計量カップ１００で、例えば０．５合の米を計量する場合は、ユーザーは側面穴１６を塞がずに米を掬う。図５に示されている点線は、米を掬った直後の計量部１０に溜まった米の表面３０である。ユーザーは、掬った米が計量部１０の側面穴１６よりやや上に来るように掬う。ユーザーは、側面穴１６を塞がないように計量カップ１００を掴み、そのまま計量カップ１００を図５の左右方向に振る。すると、側面穴１６より上にある米が側面穴１６から排出され、計量部１０に溜まっている米の表面が側面穴１６の下端の位置になるまで排出される。図５に示されている一点鎖線は、ユーザーが米の排出動作をした後の米の表面３１である。ユーザーは、側面穴１６からの米の排出が少なくなるか、無くなったら目視で計量カップ１００内の米の量を確認し、０．５合であるかどうかを確認する。目視による米の量の確認は、計量カップ１００に設けた目盛り線により行っても良いし、側面穴１６の下端を目印にしても良い。
なお、上記の説明では、計量カップ１００で計量する対象物を米として説明したが、これに限られず、麦などの炊飯器で炊飯する炊飯原料も計量することができる。
【００１６】
＜実施の形態１の効果＞
（１）実施の形態１に係る計量カップ１００は、筒体１１の一方の端部を塞ぐ底部１４を有し、他方の端部が開放され開口部１５とした計量部１０を備える。筒体１１は、当該筒体１１の側面に設けられ、計量部１０の内部に収容した炊飯原料を排出する側面穴１６を備える。
このように構成されることにより、計量カップ１００は、計量部１０に掬い取った例えば米等の炊飯原料を側面穴１６から排出することができる。そして、炊飯原料を排出して、計量部１０の底部１４から側面穴１６までの容積を使用して炊飯原料を計量することができる。また、側面穴１６をユーザーの指等で塞ぐことにより、計量部１０の底部１４から開口部１５までの容積を使用して炊飯原料を計量することができる。すなわち、１つの計量部１０を用いて２つの異なる量の炊飯原料を計量することが可能であり、例えば、０．５合及び１合の米を１つの計量カップ１００で計量できる。よって、ユーザーは、計量する米の量や米の種類に応じて異なる計量カップを用意する必要がなくなるという利点がある。
【００１７】
（２）実施の形態１に係る計量カップ１００によれば、筒体１１は、側面穴１６を２箇所備える。
このように構成されることにより、計量カップ１００は、計量部１０に掬い取った炊飯原料を排出しやすくなっており、計量部１０の底部１４から側面穴１６までの容積を使用した炊飯原料の計量を早く完了できる。また、筒体１１は、側面穴１６を２箇所備えており、ユーザーの指等を使用して容易に塞ぐことができるため、計量部１０の底部１４から開口部１５までの容積を使用して炊飯原料を計量できる。
【００１８】
（３）実施の形態１に係る計量カップ１００によれば、計量部１０は、底部１４から側面穴１６の下端部までの容積が、底部１４から開口部１５までの容積の半分である。
このように構成されることにより、計量カップ１００は、１つの計量部１０を用いて２つの異なる量の炊飯原料を計量することが可能であり、例えば、ユーザーの要望のある０．５合単位での米の計量を容易にしつつ、１合の米の計量もできる。
【００１９】
（４）実施の形態１に係る計量カップ１００によれば、側面穴１６は、長穴形状であり、長手方向を底部１４に平行に配置されている。
このように構成されることにより、計量カップ１００は、炊飯原料の排出しやすく、ユーザーの指で塞ぎやすい側面穴１６を有し、２種類の異なる量の炊飯原料の計量が容易に実現できる。
【００２０】
実施の形態２．
実施の形態２は、実施の形態１に係る計量カップ１００に対し、側面穴１６を閉塞する蓋２０を追加した計量カップ２００について説明する。実施の形態２に係る計量カップ２００の各部については、各図面において同一の機能を有するものは実施の形態１の説明で使用した図面と同一の符号を付して表示するものとする。
【００２１】
図８は、本発明の実施の形態２に係る計量カップ２００の斜視図である。なお、図８は、計量カップ２００の計量部１０を透視して表してある。実施の形態２における計量カップ２００は、筒体１１の側面に開いた側面穴１６に着脱自在な蓋２０を取り付けたものである。蓋２０は、筒体１１の側面から側面穴１６を覆う。蓋２０は、側面穴１６の内周に沿った形状であり側面穴１６に入り込む嵌め合い部２１を備える。さらに、蓋２０は、嵌め合い部２１よりも一回り大きいつば部２２を有する。つば部２２は、蓋２０を側面穴１６に嵌め込んだ時に、嵌め合い部２１に対し計量カップ２００の外側に位置する。つば部２２は、計量カップ２００の筒体１１の表面と接触し、蓋２０を側面穴１６から計量部１０の内部に入り込まないようにしている。なお、蓋２０は、計量カップ２００の各側面穴１６にそれぞれ設けられている。
【００２２】
図９は、図８の計量カップ２００の蓋２０を筒体１１に一体に設けた計量カップ２０１の斜視図である。計量カップ２０１は、蓋２０と筒体１１とを帯２３により接続している。これにより、蓋２０が側面穴１６から外された状態であっても、ユーザーが蓋２０を紛失することが無い。また、蓋２０と筒体１１との接続は、側面穴１６を開閉でき、側面穴１６が開けられた状態で計量部１０内にある米等の炊飯原料を排出することができれば図９に示したものに限られない。
【００２３】
＜実施の形態２の効果＞
（５）実施の形態２に係る計量カップ２００、２０１によれば、側面穴１６に着脱自在な蓋２０を備える。
このように構成されることにより、計量カップ２００、２０１は、実施の形態１に係る計量カップ１００と同様の効果を有し、さらにユーザーの指等で側面穴１６を閉塞しなくても、計量部１０の底部１４から開口部１５までの容積を使用した計量が可能となる。これによりユーザーは、側面穴１６を閉塞した指等が側面穴１６からずれて計量部１０の内部の炊飯原料がこぼれ落ちてしまうのを気にすることなく計量できる。
【００２４】
（６）実施の形態２に係る計量カップ２００、２０１によれば、蓋２０は、計量部１０と一体に形成されている。
このように構成されることにより、計量カップ２０１は、蓋２０が側面穴１６から外れた状態であっても、ユーザーが蓋２０を紛失することがない。
【００２５】
（７）実施の形態２に係る計量カップ２００、２０１によれば、蓋２０は、側面穴１６の開口部分の形状に対し突出したつば部２２を備える。
このように構成されることにより、計量カップ２００、２０１は、蓋２０を筒体１１の外側から押しても、蓋２０が計量部１０の内部に落ち込むことがない。計量する際にユーザーは、蓋２０に加える力に注意しなくとも計量作業ができる。
【符号の説明】
【００２６】
１０  計量部、１１  筒体、１４  底部、１５  開口部、１６  側面穴、１７  底面、１９  突起、２０  蓋、２１  嵌め合い部、２２  つば部、２３  帯、３０  表面、３１  表面、１００  計量カップ、２００  計量カップ、２０１  計量カップ。
【図１】
2017187307.tif 000003
【図２】
2017187307.tif 000004
【図３】
2017187307.tif 000005
【図４】
2017187307.tif 000006
【図５】
2017187307.tif 000007
【図６】
2017187307.tif 000008
【図７】
2017187307.tif 000009
【図８】
2017187307.tif 000010
【図９】
2017187307.tif 000011